(57)【要約】【課題】電子機器の筐体内に収容されると該筐体の内側に発熱体が発する熱を外部に効率良く放出できる冷却装置及び冷却装置を備えた電子機器を提供する。【解決手段】電子機器としてのカーステレオ１は機器本体２と冷却装置４を備えている。機器本体２はシャーシ１０などを備えている。冷却装置４はシャーシ１０内に収容される。冷却装置４はヒートシンク２０と電動ファン２１とカバー２２とを備えている。ヒートシンク２０は発熱体としてのパワーＩＣ６などと熱的に接続される。ヒートシンク２０はシャーシ１０の底シャーシ１１から立設する。カバー２２はヒートシンク２０と底シャーシ１１とに取り付けられる。ヒートシンク２０とカバー２２と底シャーシ１１とで内側が閉ざされた流動空間１００が形成される。電動ファン２１は流動空間１００内に気体を流す。【選択図】図２
2005093662.tif 000002
【特許請求の範囲】
【請求項１】
気体を流す送風手段と、前記送風手段によって流された気体を外部に放出するための放出部及び前記送風手段により気体が流れる流動空間とを有する流動経路部と、を備え、
前記流動経路部は、前記流動空間内に発熱体を位置付けるとともに、前記流動空間内における前記気体の流れる方向を規制する規制部を有することを特徴とする冷却装置。
【請求項２】
前記流動空間は、少なくとも一部がヒートシンクにより囲まれることで形成されており、
前記ヒートシンクは、前記発熱体に熱的に接続するベースを備え、
前記送風手段が流す気体は、前記ベースの表面上を流れることを特徴とする請求項１記載の冷却装置。
【請求項３】
前記ヒートシンクには、孔が貫通しており、前記送風手段により前記孔内を気体が流れることを特徴とする請求項２記載の冷却装置。
【請求項４】
前記ヒートシンクは、前記ベースから立設した複数のフィンを備え、前記孔は、前記隣接するフィン間に設けられていることを特徴とする請求項３記載の冷却装置。
【請求項５】
前記フィンは、前記流動空間の内側と外側との双方に向かって前記ベースから立設していることを特徴とする請求項４記載の冷却装置。
【請求項６】
請求項１ないし請求項５のうちいずれか一項に記載の冷却装置と、
前記冷却装置を収容する筐体と、を備えたことを特徴とする電子機器。
【発明の詳細な説明】
【技術分野】
【０００１】
本発明は、例えば、パワーＩＣなどのような発熱体が発する熱を放出する冷却装置及び冷却装置を備えた電子機器に関する。
【背景技術】
【０００２】
例えば、移動体としての自動車のインストルメントパネル（以下インパネと呼ぶ）には、電子機器としてのカーステレオが取り付けられる。カーステレオは、前記インパネに取り付けられる機器本体と液晶ディスプレイ等の表示部や各種操作ボタンを有するフロントパネルとを備えている。
【０００３】
機器本体は、筐体と、この筐体内に収容されたカセットテーププレーヤ等の記録媒体再生装置やラジオ放送を受信するＡＭ／ＦＭチューナ等を備えている。筐体には、前述した記録媒体再生装置で再生される記録媒体が出し入れ自在となっている。フロントパネルは、記録媒体再生装置及びＡＭ／ＦＭチューナの動作状況を示す情報などを表示する。また、フロントパネルは、前記記録媒体再生装置及びＡＭ／ＦＭチューナの各種機能の動作指令を行う際に操作されるタッチスイッチや押圧ボタンが設けられている。
【０００４】
前述したカーステレオは、前述した記録媒体再生装置の増幅器として用いられるパワーＩＣ（Power Integrated Circuit）などが発生する熱を外部に放出するための冷却装置を備えている。冷却装置は、パワーＩＣなどに熱的に接続されるヒートシンクと、電動ファンなどを備えている。ヒートシンクは、前記筐体内に収容されている。ヒートシンクは、アルミダイカストなどの金属からなる。ヒートシンクは、パワーＩＣの外側に配されていている。
【０００５】
電動ファンは、前記筐体に設けられた開口部から気体を吸い込んで、前記ヒートシンクの表面上に流し、前記筐体に設けられた他の開口部を通して、筐体外に排気する。前述した冷却装置は、電動ファンによりヒートシンクの表面上に流される気体が前記ヒートシンクと熱交換を行い、この熱交換によりヒートシンクを介してパワーＩＣを冷却する。
【発明の開示】
【発明が解決しようとする課題】
【０００６】
前述した従来から用いられてきた冷却装置では、その構造上パワーＩＣが発する熱を十分に筐体外に放出することができず、徐々に筐体内に拡がることがある。そうなると、特に長時間筐体内に収容された状態にある記録媒体は、前述したパワーＩＣからの熱が伝わり加熱されるという事態を招くこととなる。
【０００７】
本発明は、例えば、筐体内に設けられた発熱体が発する熱を効率良く外部に放出することができる冷却装置及び冷却装置を備えた電子機器を提供することにある。
【課題を解決するための手段】
【０００８】
前記課題を解決し目的を達成するために、請求項１に記載の本発明の冷却装置は、気体を流す送風手段と、前記送風手段によって流された気体を外部に放出するための放出部と前記送風手段により気体が流れる流動空間とを有する流動経路部と、を備え、前記流動経路部は、前記流動空間内に発熱体を位置付けるとともに、前記流動空間内における前記気体の流れる方向を規制する規制部を有することを特徴としている。
【０００９】
前記課題を解決し目的を達成するために、請求項６に記載の本発明の電子機器は、請求項１ないし請求項５のうちいずれか一項に記載の冷却装置と、前記冷却装置を収容する筐体と、を備えたことを特徴としている。
【発明を実施するための最良の形態】
【００１０】
本発明における冷却装置、及び冷却装置を備えた電子機器の実施の形態について説明する。本実施の形態における冷却装置は、気体を流す送風手段と、その送風手段により流される気体を外部に放出する放出部及びその送風手段により気体が流れる流動空間とを有する流動経路部と、を備える。また、流動経路内に発熱体を位置付け、そして、流動空間内における気体の流動方向を規制する規制部を設ける。発熱体を流動空間内に設けるとその発熱体が発する熱が送風手段により放熱され、さらに、その流動空間内における気体の流動方向を規制する規制部により、放熱された気体の流動方向を規制しつつ効率よく放出部に導くことができる。こうすることで、発熱体が発する熱を、送風手段と規制部との作用により効率よく放出部に導いて外部に放出することができ、冷却装置外、例えば、筐体内における記録媒体等に発熱体が発する熱が伝わることを抑えるようにしたものである。
【００１１】
また、この発明では、上記した流動空間は、少なくとも一部がヒートシンクに囲まれて形成され、送風手段が流す気体が前記ヒートシンクのベースの表面上を流れても良い。
【００１２】
さらに、内側に気体が流れる孔がヒートシンクに形成されても良い。
【００１３】
また、ヒートシンクにフィンが設けられかつ孔が隣接するフィン間に設けられても良い。
【００１４】
さらに、フィンが流動空間の内側と外側との双方に向かってベースから立設しても良い。
【００１５】
また、前述した冷却装置と、該冷却装置を収容する筐体とを備えた電子機器であっても良い。
【実施例】
【００１６】
本発明の一実施例にかかる冷却装置及びこの冷却装置を備えた電子機器としてのカーステレオを図１乃至図７を参照して説明する。図１などに示すカーステレオ１は、移動体としての自動車のインストルメントパネルに装着される。
【００１７】
カーステレオ１は、図１に示すように、機器本体２と、操作表示ユニット３と、冷却装置４（図２ないし図５に示す）を備えている。
【００１８】
機器本体２は、略矩形状の筐体としてのケース５を有している。このケース５は、カセットテーププレーヤ及びＡＭ／ＦＭチューナ等と、発熱体としてのパワーＩＣ（Power Integrated Circuit）６（図３及び図４に示す）及びパワートランジスタ（Power Transistor）７（図３及び図４に示す）を取り付けたシャーシ１０（図２ないし図４に示す）と、そのシャーシ１０の上方を覆うように被せる上蓋（図示せぬ）とで構成される。すなわち、カセットテーププレーヤ及びＡＭ／ＦＭチューナ等と、発熱体としてのパワーＩＣ６及びパワートランジスタ７は、上蓋とシャーシ１０とで形成されるケース５の空間内に収容されている。
【００１９】
ケース５の図１中手前側に位置する前面には、操作表示ユニット３が取り付けられている。
【００２０】
シャーシ１０は、板金などからなり、図２ないし図４に示すように、平板状の底シャーシ１１と、この底シャーシ１１の幅方向の両縁から立設した一対の側シャーシ１２と、前記底シャーシ１１から立設しかつ一対の側シャーシ１２を互いに連結する奥シャーシ１３とを備えている。
【００２１】
底シャーシ１１上には、回路基板１１ａが固定されている。一対の側シャーシ１２のうち図２ないし図４中左側に位置する一方の側シャーシ１２（以下符号１２ａで示す）には、複数の貫通孔１４が設けられている。
【００２２】
奥シャーシ１３の一方の側シャーシ１２ａ寄りの一端部１３ａには、貫通孔１５が設けられている。
【００２３】
図示例では、ケース５内には、カセットテーププレーヤと、ラジオ放送を受信するＡＭ／ＦＭチューナ等を収容している。カセットテーププレーヤは、図２ないし図５中に二点鎖線で示す記録媒体としてのカセットテープ８に記録された情報を読み出して、音声情報として出力する。ＡＭ／ＦＭチューナは、ラジオ放送を受信して、音声情報として出力する。
【００２４】
ケース５は、ＣＤ（Compact Disc）プレーヤ、ＭＤ（Mini Disc）プレーヤ、ＤＶＤ（Digital Versatile Disc）−ＲＯＭプレーヤ及びテレビ放送波を受信するテレビチューナ等を収容しても良い。これらの装置は、例えば、操作表示ユニット３に設けられた後述する押しボタン１７等を使用者が押圧することによって動作する。
【００２５】
パワーＩＣ６及びパワートランジスタ７は、回路基板１１ａに電気的に接続され、その回路基板１１ａを介して供給される電力によりカセットテーププレーヤが再生した音声情報と、ＡＭ／ＦＭチューナからの音声情報を増幅して、前述した自動車に装備されるスピーカに向かって出力する。このため、これらのパワーＩＣ６及びパワートランジスタ７は、他の電子部品より消費電力が多く、発熱量が多い。
【００２６】
操作表示ユニット３は、液晶ディスプレイ（ＬＣＤ：Liquid Crystal Display）などからなる画像情報等を表示する表示パネル１６と、複数の押しボタン１７などを備えている。操作表示ユニット３は、表示パネル１６にカセットテーププレーヤの再生状況や、ＡＭ／ＦＭチューナの受信状況などを表示する。
【００２７】
押しボタン１７は、使用者により押圧されることにより操作される。これらの押しボタン１７が操作されることにより、ケース５の内部に収容されたカセットテーププレーヤとＡＭ／ＦＭチューナ等が動作する。
【００２８】
また、操作表示ユニット３には、機器本体２内にカセットテープ８を出し入れ自在とする挿入口１８が設けられている。挿入口１８は、勿論、操作表示ユニット３を貫通している。
【００２９】
冷却装置４は、機器本体２のシャーシ１０に取り付けられている。すなわち冷却装置４はケース５内に収容されている。冷却装置４は、パワーＩＣ６とパワートランジスタ７から発生した熱を放熱して、機器本体２即ちカーステレオ１外に放出する。
【００３０】
冷却装置４は、図２に示すように、シャーシ１０の底シャーシ１１上に固定された回路基板１１ａと、前述した一方の側シャーシ１２ａと、奥シャーシ１３の前述した一端部１３ａとに取り付けられている。冷却装置４は、ヒートシンク２０と、送風手段としての電動ファン２１と、カバー２２とを備えている。ヒートシンク２０は、例えば、アルミニウム合金などの熱伝導性の優れる金属からなる。ヒートシンク２０は、平面形状が矩形状のベース２３と、複数のフィン２４と、複数の孔２５（図５及び図７に示す）とを備えている。
【００３１】
ベース２３は、図７に示すように、底シャーシ１１から立設しかつ一方の側シャーシ１２ａと平行に配されている。ベース２３には、パワーＩＣ６と、パワートランジスタ７とが取り付けられている。ベース２３は、パワーＩＣ６とパワートランジスタ７とが取り付けられることで、これらと熱的に接続される。なお、熱的に接続されるとは、パワーＩＣ６及びパワートランジスタ７が発した熱が、ベース２３即ちヒートシンク２０に伝わることを示している。
【００３２】
ベース２３には、パワートランジスタ７がねじなどにより固定される。ベース２３には、パワーＩＣ６が、図６に示すように、リベット２６によりベース２３に固定される板金２７とベース２３との間に挟まれた状態で固定される。
【００３３】
フィン２４は、複数設けられており、ベース２３から立設している。複数のフィン２４は、底シャーシ１１と平行であるとともに、互いに平行に配されている。複数のフィン２４のうち一部は、ヒートシンク２０がシャーシ１０に取り付けられると、ベース２３からシャーシ１０即ち機器本体２の内側に向かって立設している。他の残りのフィン２４は、ヒートシンク２０がシャーシ１０に取り付けられると、ベース２３からシャーシ１０の一方の側シャーシ１２ａ即ち機器本体２の外側に向かって立設している。即ち、フィンは、図７に示すように、後述の流動空間１００の内側と外側との双方に向かってベース２３から立設している。
【００３４】
孔２５は、ベース２３を貫通している。孔２５は、図７に示すように、互いに隣接する（隣り合う）フィン２４間に設けられている。
【００３５】
電動ファン２１は、ファンケース２８と、羽根車２９と、図示しない駆動源としてのモータを備えている。ファンケース２８は、板状に形成されている。ファンケース２８には、吸い込み口３０が設けられている。羽根車２９は、ファンケース２８内に回転自在に収容されている。モータは、羽根車２９を回転させる。
【００３６】
電動ファン２１は、モータが羽根車２９を回転することで、吸い込み口３０から気体を吸い込んでこの吸い込み口３０の裏側から吐き出す。電動ファン２１は、吸い込み口３０がベース２３に取り付けられたパワーＩＣ６と相対した状態で配されている。電動ファン２１は、カバー２２とヒートシンク２０に取り付けられる。電動ファン２１は、流動空間１００内に配される。
【００３７】
カバー２２は、板金からなり、平板状のベース重なり部３１と、平板状のベース平行部３２とを一体に備えている。ベース重なり部３１とベース平行部３２との表面は、互いに直交している。ベース重なり部３１は、ヒートシンク２０のベース２３の底シャーシ１１から離れた側の縁に重ねられるとともに、底シャーシ１１と間隔をあけて平行に配される。ベース重なり部３１は、ベース２３の前述した縁に固定される。
【００３８】
ベース平行部３２は、一方の側シャーシ１２ａと平行に配されかつ回路基板１１ａに固定される。このため、ヒートシンク２０と、カバー２２と、回路基板１１ａの一部とで、流動経路部１０１を形成する。則ち、冷却装置４は、流動経路部１０１を備えている。
【００３９】
流動経路部１０１は、図３ないし図５に示すように、気体が流れる流動空間１００と、この流動空間１００の図２中手前側の一端と図２中奥側の他端との双方に設けられた開口３３ａ，３３ｂ（図５に示す）と、を備えている。流動空間１００内には、発熱体としてのパワーＩＣ６とパワートランジスタ７が設けられている。また、流動空間１００内には、電動ファン２１が設けられている。このため、電動ファン２１は、モータにより羽根車２９が回転すると、図２中手前側の一端の開口３３ａから気体を流動空間１００内に吸い込み、吸い込まれた気体は流動空間１００内を流動して放出部としての図２中奥側の他端の開口３３ｂに導かれる。そして、導かれた気体は、開口３３ｂから機器本体２即ちカーステレオ１外に放出される。また、電動ファン２１により流される気体は、ベース２３の表面上を流れる。このため、流動空間１００内で、電動ファン２１により気体が流れる。この際、流動空間１００内を流動する気体の流動方向がベース平行部３２やベース重なり部３１等により規制される。すなわち、電動ファン２１により流動される気体の流動方向は開口３３ａから開口３３ｂに向かった方向に規制される。これによりパワーＩＣ６とパワートランジスタ７が発する熱が電動ファン２１により放出され、そして、規制された流動方向に沿って流動されることになるので、効率よく開口３３ｂに導くことが可能となる。なお、ベース平行部３２やベース重なり部３１等則ちカバー２２等は本明細書に記した規制部をなしている。
【００４０】
また、流動空間１００が、ヒートシンク２０と、カバー２２と、回路基板１１ａの一部により囲まれて形成されている。このため、流動空間１００は、少なくとも一部がヒートシンク２０により囲まれることで形成されている。また、電動ファン２１により、孔２５に気体が流れる。
【００４１】
前述した冷却装置４によれば、電動ファン２１の羽根車２９を回転することで、図５中の矢印Ｋ１，Ｋ２に沿ってシャーシ１０を貫通した貫通孔１４及び孔２５と、図５中の矢印Ｋ３に沿って一端の開口３３ａを通して、流動空間１００内に気体を吸い込む。そして、パワーＩＣ６とパワートランジスタ７と熱的に接続されるベース２３の表面で熱交換が行われる。電動ファン２１が吸い込んだ気体は、前述した熱交換により加熱されて、図５中の矢印Ｏに沿って他端の開口３３ｂから流動空間１００外に放出されるとともに、シャーシ１０を貫通した貫通孔１５を通して機器本体２外に放出される。このように、冷却装置４は、パワーＩＣ６とパワートランジスタ７を冷却する。
【００４２】
本実施例によれば、流動空間１００内にパワーＩＣ６及びパワートランジスタ７を配置し、電動ファン２１が流動空間１００内に気体を流す。ヒートシンク２０のベース２３にパワーＩＣ６及びパワートランジスタ７が熱的に接続し、電動ファン２１からの気体がベース２３の表面上を流れる。
【００４３】
このため、流動空間１００内を流れる気体と、パワーＩＣ６及びパワートランジスタ７とで熱交換を行うことができ、パワーＩＣ６及びパワートランジスタ７が発生する熱を流動空間１００外に放熱できる。
【００４４】
また、流動空間１００における気体の流動方向がベース重なり部３１及びベース平行部３２則ちカバー２２により規制されているので、ケース５内でかつ流動空間１００外即ち冷却装置４外にパワーＩＣ６及びパワートランジスタ７からの熱が拡がることを防止できる。したがって、カーステレオ１のケース５内に収容されると、パワーＩＣ６及びパワートランジスタ７が発する熱がケース５内に拡がることを防止できる。このため、パワーＩＣ６及びパワートランジスタ７が発する熱により、カセットテープ８などの記録媒体が加熱されることを防止できる。
【００４５】
また、ヒートシンク２０の孔２５内に気体が通るので、電動ファン２１が気体を流すことで、ヒートシンク２０を冷却でき、ヒートシンク２０を介して、パワーＩＣ６及びパワートランジスタ７を確実に冷却できる。
【００４６】
ベース２３に複数のフィン２４が立設しかつフィン２４間に孔２５が開口しているので、電動ファン２１が流す気体が、孔２５の内側とフィン２４上との双方を確実に流れる。電動ファン２１が流す気体とヒートシンク２０との接触面積が大きくなり、電動ファン２１が気体を流すことで、ヒートシンク２０を確実に冷却できる。したがって、ヒートシンク２０を介して、パワーＩＣ６及びパワートランジスタ７を確実に冷却できる。
【００４７】
また、フィン２４がベースから内側と外側との双方に向かって立設している。このため、電動ファン２１が流す気体と、ヒートシンク２０との接触面積が確実に大きくなる。したがって、パワーＩＣ６及びパワートランジスタ７を、ヒートシンク２０を介して確実に冷却できる。
【００４８】
次に、本発明の出願人は、本発明にかかる冷却装置４の効果を、従来の冷却装置と比較することで確認した。結果を図８に示す。
【００４９】
図８に結果を示す実験では、前述した実施例のように記録媒体としてのカセットテープ８の情報を再生するカーステレオ１に、前述した流動経路部１０１等を有した冷却装置４を設けた場合を本発明品Ａとしている。図８中に実線で示す本発明品Ａは、カセットテープ８を約半分機器本体２内に挿入して、カーステレオ１を動作したときに、時間の経過とともに上昇したカセットテープ８の温度の変化を示している。
【００５０】
図８に結果を示す実験では、記録媒体としてのＣＤの情報を再生するカーステレオ１に、前述した流動経路部１０１等を有した冷却装置４を設けた場合を本発明品Ｂとしている。図８中に一点鎖線で示す本発明品Ｂは、ＣＤを機器本体２内に挿入して、カーステレオ１を動作したときに、時間の経過とともに上昇したＣＤの温度の変化を示している。
【００５１】
図８に結果を示す実験では、記録媒体としてのカセットテープ８の情報を再生するカーステレオに、前述した流動経路部１０１を備えずに電動ファン２１のみ備えた冷却装置を設けた場合を比較例Ａとしている。図８中に二点鎖線で示す比較例Ａは、カセットテープ８を約半分機器本体内に挿入して、カーステレオを動作したときに、時間の経過とともに上昇したカセットテープ８の温度の変化を示している。
【００５２】
図８に結果を示す実験では、記録媒体としてのＣＤの情報を再生するカーステレオに、前述した流動経路部１０１を備えずに電動ファン２１のみ備えた冷却装置を設けた場合を比較例Ｂとしている。図８中に点線で示す比較例Ｂは、ＣＤを機器本体内に挿入して、カーステレオを動作したときに、時間の経過とともに上昇したＣＤの温度の変化を示している。
【００５３】
図８に結果を示す実験では、勿論、電動ファン２１則ち冷却装置を動作させている。図８によれば、比較例Ａは、カーステレオを動作してから時間が経過すると、カセットテープ８の温度が４３．７℃上昇することが明らかとなった。これに対し、本発明品Ａは、カーステレオ１を動作してから時間が経過すると、カセットテープ８の温度が２５．７℃上昇することが明らかとなった。
【００５４】
また、比較例Ｂは、カーステレオを動作してから時間が経過すると、ＣＤの温度が３６．６℃上昇することが明らかとなった。これに対し、本発明品Ｂは、カーステレオ１を動作してから時間が経過すると、ＣＤの温度が２０．７℃上昇することが明らかとなった。
【００５５】
このように、本発明品Ａ，Ｂの上昇する温度は、比較例Ａ，Ｂの上昇する温度の約６０％未満に抑制できることが明らかとなった。このように、前述した流動空間１００を設け、この流動空間１００内に電動ファン２１を配置することで、記録媒体の上昇する温度を、前述した流動空間１００を設けないものの約６０％未満に抑制できることが明らかとなった。
【００５６】
前述した実施例によれば、以下の冷却装置４及び冷却装置４を備えたカーステレオ１が得られる。
【００５７】
（付記１）  気体を流す電動ファン２１と、前記電動ファン２１によって流された気体を外部に放出するための開口３３ｂ及び前記電動ファン２１により気体が流れる流動空間１００とを有する流動経路部１０１と、を備え、
前記流動経路部１０１は、前記流動空間１００内にパワーＩＣ６及びパワートランジスタ７を位置付けるとともに、前記流動空間１００内における前記気体の流れる方向を規制するカバー２２を有することを特徴とする冷却装置４。
【００５８】
（付記２）  前記流動空間１００は、少なくとも一部がヒートシンク２０により囲まれることで形成されており、
前記ヒートシンク２０は、前記パワーＩＣ６及びパワートランジスタ７に熱的に接続するベース２３を備え、
前記電動ファン２１が流す気体は、前記ベース２３の表面上を流れることを特徴とする付記１記載の冷却装置４。
【００５９】
（付記３）  前記ヒートシンク２０には、孔２５が貫通しており、前記電動ファン２１により前記孔２５内を気体が流れることを特徴とする付記２に記載の冷却装置４。
【００６０】
（付記４）  前記ヒートシンク２０は、前記ベース２３から立設した複数のフィン２４を備え、前記孔２５は、前記隣接するフィン２４間に設けられていることを特徴とする付記３に記載の冷却装置４。
【００６１】
（付記５）  前記フィン２４は、前記流動空間１００の内側と外側との双方に向かって前記ベース２３から立設していることを特徴とする付記４記載の冷却装置４。
【００６２】
（付記６）  請求項１ないし請求項５のうちいずれか一項に記載の冷却装置４と、
前記冷却装置４を収容するケース５と、を備えたことを特徴とするカーステレオ１。
【００６３】
付記１に記載の冷却装置４によれば、流動空間１００内にパワーＩＣ６及びパワートランジスタ７を配置し、電動ファン２１が流動空間１００内に気体を流す。このため、流動空間１００内を流れる気体と、パワーＩＣ６及びパワートランジスタ７とで熱交換を行うことができ、パワーＩＣ６及びパワートランジスタ７が発生する熱を流動空間１００外に放出できる。
【００６４】
また、流動空間１００内の気体の流れる方向がカバー２２により規制されているので、流動空間１００外即ち冷却装置４外にパワーＩＣ６及びパワートランジスタ７からの熱が拡がることを防止できる。したがって、カーステレオ１のケース５内に収容されると、パワーＩＣ６及びパワートランジスタ７が発生する熱がケース５内に拡がることを防止できる。このため、パワーＩＣ６及びパワートランジスタ７が発生する熱により、カセットテープ８などの記録媒体が加熱されることを防止できる。
【００６５】
付記２に記載の冷却装置４によれば、ヒートシンク２０のベース２３にパワーＩＣ６及びパワートランジスタ７が熱的に接続し、電動ファン２１からの気体がベース２３の表面上を流れる。このため、電動ファン２１が気体を流すことで、パワーＩＣ６及びパワートランジスタ７からの熱を、ヒートシンク２０を介して熱交換することができる。
【００６６】
このため、パワーＩＣ６及びパワートランジスタ７が発生する熱を流動空間１００外に確実に放出できる。したがって、カーステレオ１のケース５内に収容されると、パワーＩＣ６及びパワートランジスタ７が発生する熱がケース５内に拡がることを確実に防止できる。このため、パワーＩＣ６及びパワートランジスタ７が発生する熱により、カセットテープ８などの記録媒体が加熱されることを防止できる。
【００６７】
付記３に記載の冷却装置４によれば、ヒートシンク２０の孔２５内に気体が通るので、電動ファン２１が気体を流すことで、ヒートシンク２０を冷却でき、パワーＩＣ６及びパワートランジスタ７を、ヒートシンク２０を介して確実に冷却できる。
【００６８】
付記４に記載の冷却装置４によれば、ベース２３に複数のフィン２４が立設しかつフィン２４間に孔２５が開口しているので、電動ファン２１が流す気体が、孔２５の内側とフィン２４上との双方を確実に流れる。このため、電動ファン２１が流す気体と、ヒートシンク２０との接触面積が大きくなる。したがって、パワーＩＣ６及びパワートランジスタ７を、ヒートシンク２０を介して確実に冷却できる。
【００６９】
付記５に記載の冷却装置４によれば、フィン２４がベース２３から内側と外側との双方に向かって立設している。このため、電動ファン２１が流す気体と、ヒートシンク２０との接触面積が確実に大きくなる。したがって、パワーＩＣ６及びパワートランジスタ７を、ヒートシンク２０を介して確実に冷却できる。
【００７０】
付記６に記載のカーステレオ１によれば、冷却装置４が、流動空間１００内にパワーＩＣ６及びパワートランジスタ７を配置している。冷却装置４の電動ファン２１が流動空間１００内に気体を流す。このため、流動空間１００内を流れる気体と、パワーＩＣ６及びパワートランジスタ７とで熱交換を行うことができ、パワーＩＣ６及びパワートランジスタ７が発生する熱を流動空間１００外に放出できる。
【００７１】
また、流動空間１００内の気体の流れる方向がカバー２２により規制されているので、流動空間１００外即ち冷却装置４外にパワーＩＣ６及びパワートランジスタ７からの熱が拡がることを防止できる。したがって、カーステレオ１のケース５に収容された冷却装置４からパワーＩＣ６及びパワートランジスタ７が発生する熱がケース５内に拡がることを防止できる。このため、パワーＩＣ６及びパワートランジスタ７が発生する熱により、カセットテープ８などの記録媒体が加熱されることを防止できる。
【図面の簡単な説明】
【００７２】
【図１】本発明の一実施例にかかる電子機器としてのカーステレオの外観を示す斜視図である。
【図２】図１に示されたカーステレオのシャーシに取り付けられた冷却装置を示す斜視図である。
【図３】図２に示された冷却装置を分解して示す斜視図である。
【図４】図３に示された冷却装置のヒートシンクと電動ファンをシャーシに取り付けた状態を示す斜視図である。
【図５】図４中のＶ−Ｖ線に沿う断面図である。
【図６】図４中のＶＩ−ＶＩ線に沿う断面図である。
【図７】図４中のＶＩＩ−ＶＩＩ線に沿う断面図である。
【図８】本発明品と比較例について、記録媒体の温度が上昇する状況を説明する説明図である。
【符号の説明】
【００７３】
１  カーステレオ（電子機器）
４  冷却装置
５  ケース（筐体）
６  パワーＩＣ（発熱体）
７  パワートランジスタ（発熱体）
２０  ヒートシンク
２１  電動ファン（送風手段）
２３  ベース
２４  フィン
２５  孔
３１  ベース重なり部（規制部）
３２  ベース平行部（規制部）
３３ａ，３３ｂ  開口
１００  流動空間
１０１  流動経路部
【図１】
2005093662.tif 000003
【図２】
2005093662.tif 000004
【図３】
2005093662.tif 000005
【図４】
2005093662.tif 000006
【図５】
2005093662.tif 000007
【図６】
2005093662.tif 000008
【図７】
2005093662.tif 000009
【図８】
2005093662.tif 000010